(57)【要約】【課題】製品自体のコンパクト化を実現することができる衛生洗浄装置を提供することを目的とする。【解決手段】ケーシングと、ケーシングに対して進退自在に設けられた洗浄ノズルと、洗浄ノズルを洗浄可能な洗浄室と、接続部を有する上流側配管と、水の供給先を洗浄ノズルの吐水口と洗浄室とに切り替える流路切替機構と、上流側の端部が接続部に接続され、下流側の端部が流路切替機構の入水ポートに接続された第１の配管と、上流側の端部が流路切替機構の出水ポートに接続され、下流側の端部が接続部に接続された第２の配管と、上流側の端部が接続部に接続され、下流側の端部が洗浄室に接続された第３の配管と、を備え、上流側配管から第１の配管へ供給された水であって流路切替機構から第２の配管へ供給された水は、接続部と、第３の配管と、を通って洗浄室へ供給されることを特徴とする衛生洗浄装置が提供される。【選択図】図２
2014058775.tif 000002
【特許請求の範囲】
【請求項１】
ケーシングと、
前記ケーシングに対して進退自在に設けられ、吐水口から水を噴射して使用者の身体を洗浄する洗浄ノズルと、
前記ケーシングの内部に固定され、前記洗浄ノズルを洗浄可能な洗浄室と、
前記ケーシングの内部に固定され、接続部を有する上流側配管と、
前記洗浄ノズルの後端に一体的に配置され、前記洗浄ノズルの進退動作に伴って移動し、前記水の供給先を前記吐水口と前記洗浄室とに切り替える流路切替機構と、  
上流側の端部が前記接続部に接続され、下流側の端部が前記流路切替機構の入水ポートに接続された第１の配管と、
上流側の端部が前記流路切替機構の出水ポートに接続され、下流側の端部が前記接続部に接続された第２の配管と、
上流側の端部が前記接続部に接続され、下流側の端部が前記洗浄室に接続された第３の配管と、
を備え、
前記上流側配管から前記第１の配管へ供給された水であって前記流路切替機構から前記第２の配管へ供給された水は、前記接続部と、前記第３の配管と、を通って前記洗浄室へ供給されることを特徴とする衛生洗浄装置。
【請求項２】
前記第１の配管の外側面は、前記第２の配管の外側面と接続されたことを特徴とする請求項１記載の衛生洗浄装置。
【請求項３】
前記接続部は、前記洗浄ノズルが前記ケーシングの内部に後退した待機状態のときに、前記流路切替機構よりも前側かつ前記流路切替機構よりも下側に配置されたことを特徴とする請求項１または２に記載の衛生洗浄装置。
【請求項４】
前記接続部に接続される前記第１の配管の軸の水平面に対する角度は、前記洗浄ノズルの軸の水平面に対する角度以上であり、
前記接続部に接続される前記第２の配管の軸の水平面に対する角度は、前記洗浄ノズルの軸の水平面に対する角度以上であることを特徴とする請求項１〜３のいずれか１つに記載の衛生洗浄装置。
【請求項５】
前記上流側配管は、前記接続部に接続され、
前記接続部は、前記第１の配管の上流側の端部が接続される第１の接続ポートと、前記第２の配管の下流側の端部が接続される第２の接続ポートと、を有し、
前記上流側配管が前記接続部よりも後側に配置された場合には、前記第１の接続ポートは、前記第２の接続ポートよりも下側に配置され、
前記上流側配管が前記接続部よりも前側に配置された場合には、前記第１の接続ポートは、前記第２の接続ポートよりも上側に配置されたことを特徴とする請求項１〜４のいずれか１つに記載の衛生洗浄装置。
【請求項６】
前記洗浄ノズルの進退動作を制御する制御部をさらに備え、
前記制御部は、前記進退動作に伴う前記第１の配管の可動範囲および前記進退動作に伴う前記第２の配管の可動範囲を前記ケーシングの底面に投影した範囲からずれた位置に配置されたことを特徴とする請求項１〜５のいずれか１つに記載の衛生洗浄装置。
【発明の詳細な説明】
【技術分野】
【０００１】
本発明の態様は、一般的に、衛生洗浄装置に関し、具体的には洋式腰掛便器に腰掛けた使用者の「おしり」などを水で洗浄する衛生洗浄装置に関する。
【背景技術】
【０００２】
例えば、洗浄用途に合わせた洗浄形態を提供するために、複数の吐水口が設けられた洗浄ノズルを備える衛生洗浄装置がある。また、洗浄ノズル自体を洗浄するために、ケーシングの内部に洗浄室を備える衛生洗浄装置がある。洗浄室は、洗浄ノズルの表面に洗浄水を吐水する吐水口を有する。これらの場合には、衛生洗浄装置は、様々な用途の複数の吐水口へ洗浄水を導くため、複数の流路を備える必要がある。そのため、一般的には、衛生洗浄装置は、流路の切り替えを行う流路切替弁を備える。
【０００３】
例えば、流路切替弁と流量調整弁ユニットとを備える衛生洗浄装置がある（特許文献１）。流路切替弁は、吐水ノズルの後端に吐水ノズルと一体的に設けられ、吐水ノズルの複数の吐水口のそれぞれへ洗浄水を導く複数の流路の切り替えを行う。流量調整弁ユニットは、流路切替弁の上流側においてチューブと接続され、洗浄室への流路と、洗浄ノズルへの流路と、の切り替えを行う。
【０００４】
特許文献１に記載された衛生洗浄装置は、流路を切り替えるための２つの流路切替バルブを備える。近年の衛生洗浄装置のコンパクト化の動向を考慮すると、吐水ノズルの後端に吐水ノズルと一体的に設けられた流路切替バルブが、前述した流路切替弁と流量調整弁ユニットとの機能を有することが望まれる。
【０００５】
この場合には、流路切替バルブの上流側における流路としてのチューブと、流路切替バルブの下流側において洗浄室と接続されるチューブと、がケーシングの内部に配置される。また、吐水ノズルの後端に吐水ノズルと一体的に設けられた流路切替バルブは、吐水ノズルの進退動作に伴って移動する。そのため、流路切替バルブの上流側のチューブと、流路切替バルブの下流側のチューブと、は、吐水ノズルの進退動作に伴って移動する。このとき、吐水ノズルの進退動作に伴って移動する各チューブの可動領域は異なる。そのため、各チューブの可動領域を確保しつつ、ケーシングの内部に配置された他の機能部との配置関係を考慮する必要がある。つまり、衛生洗浄装置が大型化し、コンパクト化を実現できないという新たな課題が発生する。
【先行技術文献】
【特許文献】
【０００６】
【特許文献１】特開２００７−２４７２４８号公報
【発明の概要】
【発明が解決しようとする課題】
【０００７】
本発明は、かかる課題の認識に基づいてなされたものであり、製品自体のコンパクト化を実現することができる衛生洗浄装置を提供することを目的とする。
【課題を解決するための手段】
【０００８】
第１の発明は、ケーシングと、前記ケーシングに対して進退自在に設けられ、吐水口から水を噴射して使用者の身体を洗浄する洗浄ノズルと、前記ケーシングの内部に固定され、前記洗浄ノズルを洗浄可能な洗浄室と、前記ケーシングの内部に固定され、接続部を有する上流側配管と、前記洗浄ノズルの後端に一体的に配置され、前記洗浄ノズルの進退動作に伴って移動し、前記水の供給先を前記吐水口と前記洗浄室とに切り替える流路切替機構と、上流側の端部が前記接続部に接続され、下流側の端部が前記流路切替機構の入水ポートに接続された第１の配管と、上流側の端部が前記流路切替機構の出水ポートに接続され、下流側の端部が前記接続部に接続された第２の配管と、上流側の端部が前記接続部に接続され、下流側の端部が前記洗浄室に接続された第３の配管と、を備え、前記上流側配管から前記第１の配管へ供給された水であって前記流路切替機構から前記第２の配管へ供給された水は、前記接続部と、前記第３の配管と、を通って前記洗浄室へ供給されることを特徴とする衛生洗浄装置である。
【０００９】
この衛生洗浄装置によれば、１つの流路切替機構が設けられているため、製品自体をコンパクトにすることができる。  
また、洗浄ノズルの進退動作に伴い移動する配管は、第１の配管および第２の配管である。第３の配管は、洗浄ノズルが進退動作しても移動しない。第１の配管および第２の配管は、同じ機能部（接続部および流路切替機構）にそれぞれ接続されている。これによれば、第１の配管および第２の配管の可動範囲は、１つとなる。そのため、洗浄室が１本の配管により流路切替機構と接続された場合と比較すると、洗浄ノズルの周辺の機能部や部材などに対する収納設計の自由度が増す。これにより、製品内部（ケーシングの内部）の無駄なスペースを減らすことができ、製品自体のコンパクト化を実現することができる。
【００１０】
第２の発明は、第１の発明において、前記第１の配管の外側面は、前記第２の配管の外側面と接続されたことを特徴とする衛生洗浄装置である。
【００１１】
この衛生洗浄装置によれば、第１の配管の外側面は、第２の配管の外側面と接続されている。つまり、第１の配管は、第２の配管と一体的に形成されている。そのため、洗浄ノズルが進退動作を行う際に、第１の配管および第２の配管の可動範囲が安定する。そのため、洗浄ノズルの進退動作が安定する。これにより、洗浄ノズルの進退動作の制御がより容易となる。また、第１の配管および第２の配管の組み立て作業をより簡略化することができる。
【００１２】
第３の発明は、第１または第２の発明において、前記接続部は、前記洗浄ノズルが前記ケーシングの内部に後退した待機状態のときに、前記流路切替機構よりも前側かつ前記流路切替機構よりも下側に配置されたことを特徴とする衛生洗浄装置である。
【００１３】
例えば、接続部が流路切替機構よりも後側にあると、接続部の位置を考慮してケーシングの長さを設定する必要がある。接続部が流路切替機構よりも上側にあると、接続部の位置を考慮してケーシングの高さを設定する必要がある。そのため、この場合には、ケーシングが大型化し、衛生洗浄装置製品自体が大型化するおそれがある。
【００１４】
この衛生洗浄装置によれば、接続部は、洗浄ノズルが待機状態のときに、流路切替機構よりも前側かつ流路切替機構よりも下側に配置されている。そのため、洗浄ノズルの長さおよび高さを考慮してケーシングのサイズを設定することができる。これにより、衛生洗浄装置の小型化を実現することができる。
【００１５】
第４の発明は、第１〜第３のいずれか１つの発明において、前記接続部に接続される前記第１の配管の軸の水平面に対する角度は、前記洗浄ノズルの軸の水平面に対する角度以上であり、前記接続部に接続される前記第２の配管の軸の水平面に対する角度は、前記洗浄ノズルの軸の水平面に対する角度以上であることを特徴とする衛生洗浄装置である。
【００１６】
この衛生洗浄装置によれば、第１の配管および第２の配管の可動範囲は、洗浄ノズルよりも上方となる。そのため、ケーシングの底面の配置され固定される機能部材は、第１の配管および第２の配管の可動範囲の影響をほとんど受けない。そのため、第１の配管および第２の配管の水平面に対するそれぞれの角度が洗浄ノズルの進退角度よりも小さい場合と比較して、機能部材の配置設計の自由度が増す。これにより、衛生洗浄装置の小型化を実現することができる。
【００１７】
第５の発明は、第１〜第４のいずれか１つの発明において、前記上流側配管は、前記接続部に接続され、前記接続部は、前記第１の配管の上流側の端部が接続される第１の接続ポートと、前記第２の配管の下流側の端部が接続される第２の接続ポートと、を有し、前記上流側配管が前記接続部よりも後側に配置された場合には、前記第１の接続ポートは、前記第２の接続ポートよりも下側に配置され、前記上流側配管が前記接続部よりも前側に配置された場合には、前記第１の接続ポートは、前記第２の接続ポートよりも上側に配置されたことを特徴とする衛生洗浄装置である。
【００１８】
この衛生洗浄装置によれば、接続部の左右方向の長さをより短い長さに設定することができる。そのため、接続部を洗浄ノズルにできる限り近づけることができる。これにより、第１の配管および第２の配管の可動範囲をできる限り狭くすることができる。そのため、ケーシングの底面に配置され固定される機能部材は、第１の配管および第２の配管の可動範囲の影響をほとんど受けない。そのため、第１の接続ポートおよび第２の接続ポートの配置関係を考慮しない場合と比較して、機能部材の配置設計の自由度が増す。これにより、衛生洗浄装置の小型化を実現することができる。
【００１９】
第６の発明は、第１〜第５のいずれか１つの発明において、前記洗浄ノズルの進退動作を制御する制御部をさらに備え、前記制御部は、前記進退動作に伴う前記第１の配管の可動範囲および前記進退動作に伴う前記第２の配管の可動範囲を前記ケーシングの底面に投影した範囲からずれた位置に配置されたことを特徴とする衛生洗浄装置である。
【００２０】
この衛生洗浄装置によれば、第１の配管および第２の配管の少なくともいずれかに結露が発生しても、制御部は、結露の影響をほとんど受けない。そのため、制御部に故障が生ずることを抑制することができる。
【発明の効果】
【００２１】
本発明の態様によれば、製品自体のコンパクト化を実現することができる衛生洗浄装置が提供される。
【図面の簡単な説明】
【００２２】
【図１】本発明の実施の形態にかかる衛生洗浄装置を備えたトイレ装置を表す模式的斜視図である。
【図２】本実施形態にかかる衛生洗浄装置の要部構成を表すブロック図である。
【図３】本実施形態にかかる衛生洗浄装置の具体例を表す模式的平面図である。
【図４】本実施形態にかかる衛生洗浄装置の具体例を表す模式的断面図である。
【図５】本実施形態にかかる衛生洗浄装置の具体例を表す模式的平面図である。
【図６】本実施形態にかかる衛生洗浄装置の具体例を表す模式的平面図である。
【図７】本実施形態にかかる衛生洗浄装置の他の具体例を表す模式的断面図である。
【発明を実施するための形態】
【００２３】
以下、本発明の実施の形態について図面を参照しつつ説明する。なお、各図面中、同様の構成要素には同一の符号を付して詳細な説明は適宜省略する。  
図１は、本発明の実施の形態にかかる衛生洗浄装置を備えたトイレ装置を表す模式的斜視図である。
【００２４】
図１に表したトイレ装置は、洋式腰掛便器（以下説明の便宜上、単に「便器」と称する）８００と、その上に設けられた衛生洗浄装置１００と、を備える。衛生洗浄装置１００は、ケーシング４００と、便座２００と、便蓋３００と、を有する。便座２００と便蓋３００とは、ケーシング４００に対して開閉自在にそれぞれ軸支されている。
【００２５】
ケーシング４００の内部には、便座２００に座った使用者の「おしり」などの洗浄を実現する身体洗浄機能部などが内蔵されている。また、例えばケーシング４００には、使用者が便座２００に座ったことを検知する着座検知センサ４０４が設けられている。着座検知センサ４０４が便座２００に座った使用者を検知している場合において、使用者が例えばリモコンなどの図示しない操作部を操作すると、洗浄ノズル４７３を便器８００のボウル８０１内に進出させることができる。なお、図１に表した衛生洗浄装置１００では、洗浄ノズル４７３がボウル８０１内に進出した状態を表している。
【００２６】
洗浄ノズル４７３の先端部には、複数の吐水口４７４が設けられている。そして、洗浄ノズル４７３は、その先端部に設けられた吐水口４７４から水を噴射して、便座２００に座った使用者の「おしり」などを洗浄することができる。例えば、複数の吐水口４７４のうちの１つの吐水口４７４は、おしり洗浄用の吐水口である。例えば、複数の吐水口４７４のうちの他の１つの吐水口４７４は、ビデ洗浄用の吐水口である。なお、本願明細書において「水」という場合には、冷水のみならず、加温されたお湯も含むものとする。
【００２７】
本願明細書においては、例えばトイレ室の床面や便器８００の上面などに対して平行な水平方向であって便座２００に座った使用者からみて、前方を「前方」とし、後方を「後方」とする。また、後方を向いて便座２００の前に立った使用者からみて、左側方を「左側方」とし、右側方を「右側方」とする。また、例えばトイレ室の床面や便器８００の上面などに対して垂直な鉛直方向であって便座２００に座った使用者からみて、上方を「上方」とし、下方を「下方」とする。
【００２８】
図２は、本実施形態にかかる衛生洗浄装置の要部構成を表すブロック図である。  
図２は、水路系と電気系の要部構成を併せて表している。
【００２９】
本実施形態にかかる衛生洗浄装置１００は、水道や貯水タンクなどの給水源から供給された水を洗浄ノズル４７３の吐水口４７４に導く流路を有する。流路の上流側には、電磁弁４３１が設けられている。電磁弁４３１は、開閉可能な電磁バルブであり、ケーシング４００の内部に設けられた制御部４０５からの指令に基づいて水の供給を制御する。
【００３０】
電磁弁４３１の下流には、熱交換器ユニット４４０が設けられている。熱交換器ユニット４４０は、図示しない温水ヒータを有する。温水ヒータは、供給された水を加熱し、所定の温水にする。なお、温水温度については、例えば、使用者がリモコンなどの図示しない操作部を操作することにより設定することができる。
【００３１】
熱交換器ユニット４４０の下流には、殺菌水を生成可能な電解槽ユニット４５０が設けられている。電解槽ユニット４５０において生成された殺菌水は、洗浄ノズル４７３の吐水口４７４から噴射されたり、あるいは洗浄ノズル４７３の吐水口４７４や外周表面（胴体）へ向かって噴射される。これにより、電解槽ユニット４５０よりも下流側の流路や、洗浄ノズル４７３の吐水口４７４の部分および外周表面は、殺菌水により殺菌される。
【００３２】
電解槽ユニット４５０の下流には、バキュームブレーカ（ＶＢ）４６１が設けられている。バキュームブレーカ４６１は、電解槽ユニット４５０から供給された水あるいは殺菌水を洗浄ノズル４７３の吐水口４７４へ導く流路の途中に配置され、水あるいは殺菌水が逆流することを防止する。
【００３３】
バキュームブレーカ４６１の下流には、上流側配管４８１が設けられている。上流側配管４８１は、ケーシング４００に固定され、接続部４８３を有する。なお、接続部４８３は、上流側配管４８１と一体として設けられてもよいし、上流側配管４８１と別体として設けられていてもよい。上流側配管４８１と一体として設けられた場合には、接続部４８３は、上流側配管４８１と直接的に接続される。接続部４８３が上流側配管４８１と別体として設けられた場合には、接続部４８３は、任意の部材を介して上流側配管４８１と間接的に接続される。この場合には、接続部４８３および上流側配管４８１は、例えばケーシング４００にそれぞれ固定される。
【００３４】
接続部４８３の下流には、流路切替機構４７１が設けられている。接続部４８３と流路切替機構４７１との間には、第１の配管４９１が設けられている。第１の配管４９１の上流側の端部は、接続部４８３に接続されている。第１の配管４９１の下流側の端部は、流路切替機構４７１の入水ポート４７１ａに接続されている。
【００３５】
流路切替機構４７１は、洗浄ノズル４７３の後端に付設されている。つまり、流路切替機構４７１は、洗浄ノズル４７３の後端において洗浄ノズル４７３と一体的に設けられている。流路切替機構４７１は、洗浄ノズル４７３の吐水口４７４へ洗浄水を導く流路と、後述するノズル洗浄室４７８へ洗浄水を導く流路と、を切り替えることができる。
【００３６】
流路切替機構４７１の下流には、洗浄ノズル４７３が設けられている。洗浄ノズル４７３は、ノズルモータ４７６からの駆動力を受け、ケーシング４００の内部から便器８００のボウル８０１内へ向かって進出したり、ケーシング４００の内部へ後退することができる。つまり、ノズルモータ４７６は、制御部４０５からの指令に基づいて洗浄ノズル４７３を進退させることができる。  
流路切替機構４７１は、洗浄ノズル４７３の進退動作に伴って移動する。つまり、流路切替機構４７１は、洗浄ノズル４７３と共に移動する。
【００３７】
流路切替機構４７１の下流には、ノズル洗浄室４７８が設けられている。ノズル洗浄室４７８は、ケーシング４００の内部に固定され、ケーシング４００の内部に後退した待機状態の洗浄ノズル４７３を洗浄することができる。あるいは、ノズル洗浄室４７８は、進退動作中の洗浄ノズル４７３の外周表面を洗浄することができる。具体的には、ノズル洗浄室４７８は、その内部に設けられた図示しない吐水部から殺菌水あるいは水を噴射することにより、洗浄ノズル４７３の外周表面を殺菌あるいは洗浄することができる。
【００３８】
流路切替機構４７１と接続部４８３との間には、第２の配管４９２が設けられている。第２の配管４９２の上流側の端部は、流路切替機構４７１の出水ポート４７１ｂに接続されている。第２の配管４９２の下流側の端部は、接続部４８３に接続されている。  
接続部４８３とノズル洗浄室４７８との間には、第３の配管４９３が接続されている。第３の配管４９３の上流側の端部は、接続部４８３に接続されている。第３の配管４９３の下流側の端部は、ノズル洗浄室４７８に接続されている。
【００３９】
バキュームブレーカ４６１を通過して上流側配管４８１に供給された洗浄水は、第１の配管４９１を通って流路切替機構４７１へ導かれる。流路切替機構４７１へ導かれた洗浄水は、流路切替機構４７１の流路の切り替えにより、洗浄ノズル４７３の吐水口４７４へ導かれたり、あるいはノズル洗浄室４７８へ導かれたりする。ノズル洗浄室４７８へ導かれる洗浄水は、流路切替機構４７１から第２の配管４９２を通り、接続部４８３を介して第３の配管４９３を通る。
【００４０】
第１の配管４９１および第２の配管４９２は、可撓性を有する例えばチューブなどによりそれぞれ形成されている。洗浄ノズル４７３が進退動作をすると、流路切替機構４７１に接続された第１の配管４９１および第２の配管４９２は、移動する。一方、接続部４８３およびノズル洗浄室４７８がケーシング４００の内部にそれぞれ固定されているため、第３の配管４９３は、洗浄ノズル４７３が進退動作しても移動しない。
【００４１】
ここで、接続部４８３が設けられていない場合、あるいは第２の配管４９２が第３の配管４９３と一体的に形成された場合を想定する。つまり、ノズル洗浄室４７８が１本の配管により流路切替機構４７１と接続された場合を想定する。この場合には、洗浄ノズル４７３が進退動作をすると、第１の配管４９１と、ノズル洗浄室４７８と流路切替機構４７１との間に設けられた１本の配管と、が移動する。例えば、ノズル洗浄室４７８と流路切替機構４７１との間に設けられた１本の配管の長さは、第１の配管４９１の長さとは異なる。そのため、ノズル洗浄室４７８と流路切替機構４７１との間に設けられた１本の配管の可動範囲（可動領域）は、第１の配管４９１の可動範囲とは異なる。この場合には、各配管の可動領域を確保しつつ、ケーシング４００の内部に配置された他の機能部との配置関係を考慮する必要がある。つまり、衛生洗浄装置１００が大型化し、コンパクト化を実現できないという課題が生ずる。
【００４２】
これに対して、本実施形態にかかる衛生洗浄装置１００では、洗浄ノズル４７３の進退動作に伴い移動する配管は、第１の配管４９１および第２の配管４９２である。第３の配管４９３は、洗浄ノズル４７３が進退動作しても移動しない。第１の配管４９１および第２の配管４９２は、同じ機能部（接続部４８３および流路切替機構４７１）にそれぞれ接続されている。これによれば、第１の配管４９１および第２の配管４９２の可動範囲は、１つとなる。そのため、ノズル洗浄室４７８が１本の配管により流路切替機構４７１と接続された場合と比較すると、洗浄ノズル４７３の周辺の機能部や部材などに対する収納設計の自由度が増す。これにより、製品内部（ケーシング４００の内部）の無駄なスペースを減らすことができ、製品自体のコンパクト化を実現することができる。
【００４３】
次に、本実施形態の具体例について図面を参照しつつ説明する。  
図３は、本実施形態にかかる衛生洗浄装置の具体例を表す模式的平面図である。  
図４は、本実施形態にかかる衛生洗浄装置の具体例を表す模式的断面図である。  
図５および図６は、本実施形態にかかる衛生洗浄装置の具体例を表す模式的平面図である。
【００４４】
図３（ａ）、図４（ａ）、図５（ａ）、および図６（ａ）は、洗浄ノズル４７３がケーシングの内部に後退した状態を表している。図３（ｂ）、図４（ｂ）、図５（ｂ）、および図６（ｂ）は、洗浄ノズル４７３がボウル８０１内に進出した状態を表している。  
図４（ａ）は、図３に表した切断面Ａ−Ａにおける模式的断面図である。図４（ｂ）は、図３に表した切断面Ｂ−Ｂにおける模式的断面図である。
【００４５】
本具体例にかかる衛生洗浄装置１００ａは、制御部４０５と、熱交換器ユニット４４０と、電解槽ユニット４５０と、バキュームブレーカ４６１と、上流側配管４８１と、接続部４８３と、流路切替機構４７１と、洗浄ノズル４７３と、ノズル洗浄室４７８と、第１の配管４９１と、第２の配管４９２と、第３の配管４９３と、を備える。それぞれの部材の機能や設置形態などは、図１および図２に関して前述した如くである。
【００４６】
本具体例では、第１の配管４９１は、第２の配管４９２と一体的に形成されている。言い換えれば、第１の配管４９１の外側面は、第２の配管４９２の外側面と接続されている。あるいは、第１の配管４９１の外側面は、第２の配管４９２の外側面と接している。第１の配管４９１および第２の配管４９２が中空円筒状に形成されたチューブである場合には、第１の配管４９１の外周面は、第２の配管４９２の外周面と接している。
【００４７】
図４（ａ）に表したように、接続部４８３は、洗浄ノズル４７３が待機位置（後退した位置）にあるときに、流路切替機構４７１よりも前側かつ流路切替機構４７１よりも下側に配置されている。また、接続部４８３に接続される第１の配管４９１の水平面（例えばケーシング４００の底面あるいは便器８００の上面など）に対する角度は、洗浄ノズル４７３の進退角度以上である。第１の配管４９１と同様に、接続部４８３に接続される第２の配管４９２の水平面に対する角度は、洗浄ノズル４７３の進退角度以上である。例えば、第１の配管４９１および第２の配管４９２の水平面に対するそれぞれの角度は、洗浄ノズル４７３の進退角度以上、９０度以下である。
【００４８】
本願明細書において、「第１の配管４９１の水平面に対する角度」とは、図４（ａ）に表したように、洗浄ノズル４７３が待機位置にあるときの第１の配管４９１の軸４９１ｃの水平面に対する角度α１をいうものとする。「第２の配管４９２の水平面に対する角度」とは、洗浄ノズル４７３が待機位置にあるときの第２の配管４９２の軸４９２ｃの水平面に対する角度α２をいうものとする。「進退角度」とは、図４（ａ）に表したように、洗浄ノズル４７３の軸４７３ｃの水平面に対する角度α３をいうものとする。
【００４９】
本具体例では、図３（ａ）〜図４（ｂ）に表したように、接続部４８３は、上流側配管４８１よりも前側に設けられ、上流側配管４８１に接続されている。図４（ａ）および図４（ｂ）に表したように、接続部４８３は、第１の接続ポート４８３ａと、第２の接続ポート４８３ｂと、を有する。第１の配管４９１の上流側の端部は、第１の接続ポート４８３ａに接続される。第２の配管４９２の下流側の端部は、第２の接続ポート４８３ｂに接続される。本具体例では、第１の接続ポート４８３ａは、第２の接続ポート４８３ｂよりも下側に配置されている。
【００５０】
図３（ａ）に表した矢印Ａ１のように、外部から供給された水は、電磁弁４３１を介して熱交換器ユニット４４０へ導かれる。熱交換器ユニット４４０に導かれた水は、熱交換器ユニット４４０により所定の温度に加熱され、あるいは加熱されることなく、図３（ａ）に表した矢印Ａ２および矢印Ａ３のように電解槽ユニット４５０へ導かれる。電解槽ユニット４５０に導かれた水は、電解槽ユニット４５０を通過し、図３（ａ）に表した矢印Ａ４および矢印Ａ５ならびに図４（ａ）に表した矢印Ａ１４および矢印Ａ１５のようにバキュームブレーカ４６１を介して上流側配管４８１に導かれる。
【００５１】
上流側配管４８１に導かれた水は、図３（ａ）に表した矢印Ａ６および図４（ａ）に表した矢印Ａ１６のように、接続部４８３に接続された第１の配管４９１を通って流路切替機構４７１に導かれる。流路切替機構４７１に導かれた水は、流路切替機構４７１により切り替えられた流路（選択された流路）に導かれる。
【００５２】
すなわち、例えば、流路切替機構４７１に導かれた水は、図３（ａ）に表した矢印Ａ７および矢印Ａ８ならびに図４（ａ）に表した矢印Ａ１７および矢印Ａ１８のように、第２の配管４９２を通り、接続部４８３を介して第３の配管４９３を通る。第３の配管４９３を通った水は、ノズル洗浄室４７８に導かれ、洗浄ノズル４７３の吐水口４７４や外周表面（胴体）へ向かって噴射される。
【００５３】
一方で、例えば、流路切替機構４７１に導かれた水は、図３（ａ）に表した矢印Ａ９および図４（ａ）に表した矢印Ａ１９のように、洗浄ノズル４７３の内部の流路（図示せず）を通って吐水口４７４に導かれ、便座２００に座った使用者の「おしり」などへ向かって噴射される。  
前述した水の流れは、洗浄ノズル４７３が待機位置にあるときと、洗浄ノズル４７３が進出した位置にあるときと、において同じである。
【００５４】
本実施形態によれば、図３（ａ）〜図６（ｂ）に表したように、洗浄ノズル４７３の進退動作に伴い移動する配管は、第１の配管４９１および第２の配管４９２である。第３の配管４９３は、洗浄ノズル４７３が進退動作しても移動しない。第１の配管４９１および第２の配管４９２は、同じ機能部（接続部４８３および流路切替機構４７１）にそれぞれ接続されている。これによれば、第１の配管４９１および第２の配管４９２の可動範囲は、１つとなる。そのため、ノズル洗浄室４７８が１本の配管により流路切替機構４７１と接続された場合と比較すると、洗浄ノズル４７３の周辺の機能部や部材などに対する収納設計の自由度が増す。これにより、製品内部（ケーシング４００の内部）の無駄なスペースを減らすことができ、製品自体のコンパクト化を実現することができる。
【００５５】
制御部４０５は、第１の配管４９１および第２の配管４９２の可動範囲をケーシング４００の底面に投影した範囲からずれた位置に設けられている（図３（ａ）および図３（ｂ）参照）。これにより、第１の配管４９１および第２の配管４９２の少なくともいずれかに結露が発生しても、制御部４０５は、結露の影響をほとんど受けない。そのため、制御部４０５に故障が生ずることを抑制することができる。
【００５６】
また、前述したように、第１の配管４９１は、第２の配管４９２と一体的に形成されている。そのため、洗浄ノズル４７３が進退動作を行う際に、第１の配管４９１および第２の配管４９２の可動範囲が安定する。そのため、洗浄ノズル４７３の進退動作が安定する。これにより、洗浄ノズル４７３の進退動作の制御がより容易となる。また、第１の配管４９１および第２の配管４９２の組み立て作業をより簡略化することができる。
【００５７】
例えば、接続部４８３が流路切替機構４７１よりも後側にあると、接続部４８３の位置を考慮してケーシング４００の長さを設定する必要がある。接続部４８３が流路切替機構４７１よりも上側にあると、接続部４８３の位置を考慮してケーシング４００の高さを設定する必要がある。そのため、この場合には、ケーシング４００が大型化し、衛生洗浄装置製品自体が大型化するおそれがある。  
これに対して、前述したように、本実施形態の接続部４８３は、洗浄ノズル４７３が待機位置にあるときに、流路切替機構４７１よりも前側かつ流路切替機構４７１よりも下側に配置されている。そのため、洗浄ノズル４７３の長さおよび高さを考慮してケーシング４００のサイズを設定することができる。これにより、衛生洗浄装置１００の小型化を実現することができる。
【００５８】
また、前述したように、第１の配管４９１および第２の配管４９２の水平面に対するそれぞれの角度は、洗浄ノズル４７３の進退角度以上である。これにより、第１の配管４９１および第２の配管４９２の可動範囲は、洗浄ノズル４７３よりも上方となる。そのため、ケーシング４００の底面の配置され固定される機能部材は、第１の配管４９１および第２の配管４９２の可動範囲の影響をほとんど受けない。そのため、第１の配管４９１および第２の配管４９２の水平面に対するそれぞれの角度が洗浄ノズル４７３の進退角度よりも小さい場合と比較して、機能部材の配置設計の自由度が増す。これにより、衛生洗浄装置１００の小型化を実現することができる。
【００５９】
次に、本実施形態の他の具体例について図面を参照しつつ説明する。  
図７は、本実施形態にかかる衛生洗浄装置の他の具体例を表す模式的断面図である。  
図７（ａ）は、図３に表した切断面Ａ−Ａにおける模式的断面図に相当する。図７（ｂ）は、図３に表した切断面Ｂ−Ｂにおける模式的断面図に相当する。
【００６０】
本具体例では、接続部４８７は、上流側配管４８５よりも後側に設けられ、上流側配管４８５に接続されている。図７（ａ）および図７（ｂ）に表したように、接続部４８７は、第１の接続ポート４８７ａと、第２の接続ポート４８７ｂと、を有する。第１の配管４９１の上流側の端部は、第１の接続ポート４８７ａに接続される。第２の配管４９２の下流側の端部は、第２の接続ポート４８７ｂに接続される。本具体例では、第１の接続ポート４８７ａは、第２の接続ポート４８７ｂよりも上側に配置されている。  
本具体例にかかる衛生洗浄装置１００ｂのその他の構造は、図３（ａ）〜図６（ｂ）に関して前述した衛生洗浄装置１００ａの構造と同様である。
【００６１】
上流側配管４８５に導かれた水は、図７（ａ）に表した矢印Ａ２１のように上流側配管４８５の内部を通過する。上流側配管４８５の内部を通過した水は、図７（ａ）に表した矢印Ａ２２および矢印Ａ２３のように、接続部４８７に接続された第１の配管４９１を通って流路切替機構４７１に導かれる。流路切替機構４７１に導かれた水は、流路切替機構４７１により切り替えられた流路（選択された流路）に導かれる。
【００６２】
すなわち、例えば、流路切替機構４７１に導かれた水は、図７（ａ）に表した矢印Ａ２４および矢印Ａ２５のように、第２の配管４９２を通り、接続部４８７を介して第３の配管４９３を通る。第３の配管４９３を通った水は、ノズル洗浄室４７８に導かれ、洗浄ノズル４７３の吐水口４７４や外周表面（胴体）へ向かって噴射される。
【００６３】
一方で、例えば、流路切替機構４７１に導かれた水は、図７（ａ）に表した矢印Ａ２６のように、洗浄ノズル４７３の内部の流路（図示せず）を通って吐水口４７４に導かれ、便座２００に座った使用者の「おしり」などへ向かって噴射される。  
前述した水の流れは、洗浄ノズル４７３が待機位置にあるときと、洗浄ノズル４７３が進出した位置にあるときと、において同じである。
【００６４】
図３（ａ）〜図６（ｂ）関して前述したように、接続部４８３が上流側配管４８１よりも前側に設けられた場合には、第１の接続ポート４８３ａは、第２の接続ポート４８３ｂよりも下側に配置される。  
一方、本具体例のように、接続部４８７が上流側配管４８５よりも後側に設けられた場合には、第１の接続ポート４８７ａは、第２の接続ポート４８７ｂよりも上側に配置される。
【００６５】
これによれば、接続部４８３、４８７の左右方向の長さをより短い長さに設定することができる。そのため、接続部４８３、４８７を洗浄ノズル４７３にできる限り近づけることができる。これにより、第１の配管４９１および第２の配管４９２の可動範囲をできる限り狭くすることができる。そのため、ケーシング４００の底面に配置され固定される機能部材は、第１の配管４９１および第２の配管４９２の可動範囲の影響をほとんど受けない。そのため、第１の接続ポート４８３ａおよび第２の接続ポート４８３ｂの配置関係を考慮しない場合と比較して、機能部材の配置設計の自由度が増す。これにより、衛生洗浄装置１００の小型化を実現することができる。
【００６６】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、流路切替機構４７１、洗浄ノズル４７３、およびノズル洗浄室４７８などが備える各要素の形状、寸法、材質、配置などや上流側配管４８１、４８５および接続部４８３、４８７の設置形態などは、例示したものに限定されるわけではなく適宜変更することができる。  
また、前述した各実施の形態が備える各要素は、技術的に可能な限りにおいて組み合わせることができ、これらを組み合わせたものも本発明の特徴を含む限り本発明の範囲に包含される。
【符号の説明】
【００６７】
１００、１００ａ、１００ｂ 衛生洗浄装置、  ２００ 便座、  ３００ 便蓋、  ４００ ケーシング、  ４０４ 着座検知センサ、  ４０５ 制御部、  ４３１ 電磁弁、  ４４０ 熱交換器ユニット、  ４５０ 電解槽ユニット、  ４６１ バキュームブレーカ、  ４７１ 流路切替機構、  ４７１ａ 入水ポート、  ４７１ｂ 出水ポート、  ４７３ 洗浄ノズル、  ４７３ｃ 軸、  ４７４ 吐水口、  ４７６ ノズルモータ、  ４７８ ノズル洗浄室、  ４８１ 上流側配管、  ４８３ 接続部、  ４８３ａ 第１の接続ポート、  ４８３ｂ 第２の接続ポート、  ４８５ 上流側配管、  ４８７ 接続部、  ４８７ａ 第１の接続ポート、  ４８７ｂ 第２の接続ポート、  ４９１ 第１の配管、  ４９１ｃ 軸、  ４９２ 第２の配管、  ４９２ｃ 軸、  ４９３ 第３の配管、  ８００ 便器、  ８０１ ボウル
【図１】
2014058775.tif 000003
【図２】
2014058775.tif 000004
【図３】
2014058775.tif 000005
【図４】
2014058775.tif 000006
【図５】
2014058775.tif 000007
【図６】
2014058775.tif 000008
【図７】
2014058775.tif 000009